(57)【要約】【課題】必要な操作用表示のみを簡単かつ低コストで表示できる電子機器を提供すること。【解決手段】操作面の裏面側に設けられる光源と、操作面に設けられる操作用表示２と、を有する電子機器（１、１Ａ、１Ｂ）であって、電子機器（１、１Ａ、１Ｂ）の操作面には、遮光壁（５、２５、３５）と、遮光壁（５、２５、３５）に並設される透明壁（６、２６、３６）と、が操作面に対して交互に立設してなるルーバー層１０が固着されている電子機器（１、１Ａ、１Ｂ）としている。【選択図】図４
2009236940.tif 000002
【特許請求の範囲】
【請求項１】
操作面の裏面側に設けられる光源と、
上記操作面に設けられる操作用表示と、を有する電子機器であって、
上記電子機器の上記操作面には、
遮光壁と、
上記遮光壁に並設される透明壁と、が上記操作面に対して交互に立設してなるルーバー層が固着されていることを特徴とする電子機器。
【請求項２】
前記光源と前記操作用表示は、それぞれ複数からなり、
複数の上記光源から発せられたそれぞれの光は、対応するそれぞれの上記操作用表示を照射し、かつ、他の上記操作用表示への照射が防止されるように構成されたことを特徴とする請求項１に記載の電子機器。
【請求項３】
前記ルーバー層は、前記操作面全面に設けられ、
前記遮光壁は、異なる色彩の面を裏表に有するものであることを特徴とする、請求項１または２に記載の電子機器。
【請求項４】
前記遮光壁と前記透明壁は、弾性材料にて形成されていることを特徴とする、請求項１から３のいずれか１項に記載の電子機器。
【請求項５】
前記操作面の操作の結果が表示される表示部を有し
前記ルーバー層は、前記操作面全面と上記表示部前面の両層に一体的に設置されていることを特徴とする請求項１から４のいずれか１項に記載の電子機器。
【発明の詳細な説明】
【技術分野】
【０００１】
本発明は、電子機器に関する。
【背景技術】
【０００２】
近年では、小型電子機器の多機能化が進んでいる。例えば、携帯電話機には、電話機能、メール機能、インターネットへの接続機能、カメラ機能、音楽プレーヤ機能およびテレビ機能等を有するものがある。
【０００３】
そのため、各機能の操作に必要な操作釦が増える、あるいは、１つの操作釦を複数の機能に割り当てるために操作面に付される表示が増える傾向がある。したがって、所望の操作釦を見つけにくいという問題が生じている。また、操作釦の数あるいは表示が増加するために、操作面の意匠性が損なわれるという問題も生じている。
【０００４】
この問題に対応して、操作釦に相当する入力部材の表示部分に光半透過機能を付与するというものが提案されている（例えば、特許文献１を参照）。この特許文献１の技術の場合、内部光源の消灯時と点灯時とで、表示部を異なる有彩色に変化させることができる。
【特許文献１】特開２００４−３８０６８号公報（特許請求の範囲、段落番号０００７、０００８等）
【発明の開示】
【発明が解決しようとする課題】
【０００５】
しかし、特許文献１の場合、２つの着色層を積層するものであるため、構造が複雑となり、製造コストが大幅に上昇してしまう。また、所定の表示部分のみを照光したい場合にも、隣接する表示部分が照光されてしまう。
【０００６】
そこで、本発明は、上記課題を解決すること、すなわち、必要な操作用表示のみを簡単かつ低コストで表示できる電子機器を提供することを目的とする。
【課題を解決するための手段】
【０００７】
かかる目的を達成するため、操作面の裏面側に設けられる光源と、操作面に設けられる操作用表示と、を有する電子機器であって、電子機器の操作面には、遮光壁と、遮光壁に並設される透明壁と、が操作面に対して交互に立設してなるルーバー層が固着されている電子機器としている。
【０００８】
このような電子機器とすることで、光源からの光が遮光壁で遮られ、所望の操作用表示以外の所に光が当たらない。よって、必要なところに必要な光源からの光のみを照射することができ、必要な操作用表示のみを表示させることができる。さらに、この発明では、ルーバー層が固着されるという簡単な構成を採用しており、簡単かつ低コストが達成される。
【０００９】
また、別の発明では、上述の発明に加え、光源と操作用表示は、それぞれ複数からなり、複数の光源から発せられたそれぞれの光は、対応するそれぞれの操作用表示を照射し、かつ、他の操作用表示への照射が防止されるように構成されたものとしている。
【００１０】
このような電子機器とすることで、それぞれの光源の点灯状態によって対応する特定の操作用表示を表示させることができる。
【００１１】
また、別の発明では、上述の発明に加え、ルーバー層は、操作面全面に設けられ、遮光壁は、異なる色彩の面を裏表に有するものとしている。
【００１２】
このような電子機器とすることで、横あるいは斜めから見る他人には、操作した操作用表示が何であるか分りづらくなり、プライバシー保護の面で有利となる。また、その見る方向により意匠が変化するものとなり、デザイン性が向上する。
【００１３】
また、別の発明では、上述の発明に加え、遮光壁と透明壁は、弾性材料にて形成されているものとしている。
【００１４】
このような電子機器とすることで、操作面を衝撃から保護できる。また、押釦スイッチ部等の可動部の動作に追随しやすい操作面となる。
【００１５】
また、別の発明では、上述の発明に加え、操作面の操作の結果が表示される表示部を有し、ルーバー層は、操作面全面と表示部全面の両層に一体的に設置されているものとしている。
【００１６】
このような電子機器とすることで、電子機器の操作面と表示部が全面的にルーバー層で覆われるため、斜め方向から見た場合には、電子機器が何であるか全く分らないものとなる。また、外観からでは、何か分らないという斬新な意匠が、操作者に優越感を与えるものとなる。
【発明の効果】
【００１７】
本発明によれば、必要な操作用表示のみを簡単かつ低コストで表示できる電子機器を提供することができる。
【発明を実施するための最良の形態】
【００１８】
図１は、本実施の形態に係る電子機器１を斜め方向から見た際の、外観を示す斜視図である。
【００１９】
電子機器１の本体１ａは、後述のルーバー層１０ａを有するパネル１０に覆われている。そのため、斜め方向から見ると、電子機器１に付されている操作表示２および表示部３が視認されない。また、本実施の形態では、電子機器１は、直方体形状、すなわち６面が外側に露出する本体１aを有している。さらに、本体１aの外側に露出する各面は、１面につき１枚のパネル１０により、その面の領域全てが覆われている。そのため、表示部３のみにパネル１０が貼り付けられているものではないので、電子機器１に付されている操作表示２と表示部３との境界も視認されにくい。すなわち、電子機器１は、単なる棒のように見える。
【００２０】
図２は、図１の電子機器１からパネル１０を取り外した際の平面図である。電子機器１の本体１ａを、操作面の正面から見た場合には、電子機器１の本体１ａに付された操作用表示２および表示部３が視認される。また、電子機器１の本体１ａの内部には、内部光源（不図示）が配置されていて、その内部光源により照光された操作用表示２が表示される。例えば、図２の電子機器１の本体１ａは、電話モードにあるため、電話に必要な数字キー等の操作用表示２のみが点灯されて視認される。
【００２１】
図３は、図１の電子機器１の本体１ａが音響プレーヤモードにある場合に、その電子機器１の本体１ａの外観を示す斜視図である。電子機器１の本体１ａが音響プレーヤモードの場合には、音響プレーヤを操作するためのキーとして、例えば、再生マーク等の操作用表示２のみが点灯して視認される。なお、上述の電話に必要な操作用表示２と重ならない部分に、音響プレーヤとしての電子機器１の本体１ａを操作するための操作用表示２が設けられている。
【００２２】
図４は、本実施の形態に係る電子機器１の操作面について、図２のＡで示す領域のＸ方向に切断した断面を拡大して示す拡大断面図である。なお、見易さのために、各部材の拡大倍率は一律ではない。
【００２３】
電子機器１の操作面は、パネル１０、加飾層７およびベースシート８が、操作面側からこの順で配置されている。また、パネル１０は、第１の保護層４ａ、ルーバー層１０ａ、および第２の保護層４ｃが、操作面側からこの順で配置されて構成されている。また、ベースシート８の操作面（図４で上面に相当し、以後、表面という）とは逆側の面（図４で下面に相当し、以後、裏面という）に対向して、基板（不図示）が配置されている。基板上にはスイッチ部材（不図示）が配置されている。ベースシート８の裏面に配置される押圧子９は、スイッチ部材に対向して、ベースシート８と一体的に形成されている。
【００２４】
第１の保護層４ａおよび第２の保護層４ｃは、厚さ１０〜５００μｍの透光性の樹脂フィルムにより構成される。ここで、透光性とは、実質的に光を透過させることができるものを言い、例えば、全光透過率２０％以上好ましくは８０％以上のフィルムを好適に用いることができる。また、第１の保護層４ａおよび第２の保護層４ｃは、ルーバー層１０の保護のために設けられるが必須ではない。透光性の樹脂フィルムとしては、市販の熱可塑性樹脂シートを使用できる。例えば、アクリル系樹脂、ポリカーボネート系樹脂、ポリカーボネート系樹脂とポリエステル系樹脂からなるポリマーアロイ、ＡＢＳ系樹脂、ＡＳ系樹脂、ポリスチレン系樹脂、ポリオレフィン系樹脂、塩化ビニル系樹脂あるいはＰＥＴ系樹脂等を採用できる。それらの中でも、透明性、耐候性、柔軟性、表面光沢および加工性に優れるアクリル樹脂がより好適に用いられる。
【００２５】
ルーバー層１０ａは、遮光壁５と透明壁６とが交互に設けられている、いわゆるブラインド状の層である。本実施の形態において、ルーバー層１０ａは、Ｘ方向である幅方向の厚さが８μｍの遮光壁５と、Ｘ方向の厚さが１００μｍの透明壁６とが交互に立設して成る層である。また、その遮光壁５および透明壁６は、第２の保護層４ｃの面に対して、図４が示す角度θで４５°〜１３５°の角度を為して、Ｘ方向に延伸している。第１の実施の形態では、遮光壁５および透明壁６は、第２の保護層４ｃの面に対する角度θで、９０°の角度を為して設けられている。遮光壁５および透光壁６の立設角度により、電子機器１の操作面の視野角を変えることができる。
【００２６】
遮光壁５および透明壁６は、どのような物質にて構成されていても良い。しかし、電子機器１の表面を保護する機能を付加し、可動部の動作に追随しやすい操作面とするために、シリコーンゴムのような弾性体から構成されることが好ましい。また、遮光壁５としては、全光線透過率が４０％以下に調整された材料を好適に用いることができる。例えば、黒色の炭素粒子を混合したシリコーンゴムを用いることができる。また、遮光壁５のＸ方向の厚さを透明壁６のＸ方向の厚さよりも薄くすることで後述の加飾層７の加飾が遮光壁５に分断されることなく、使用者がより鮮明に加飾を視認できる。また、透明壁６としては、透光性であって、かつ、光の屈折率が低い材料を好適に用いることができる。光の屈折率が低い材料を用いることで、ルーバー層１０ａの高さ方向であるＺ方向の高さを低くしても、ルーバー層１０ａの裏面側に位置する加飾が鮮明に見えるため、ルーバー層１０を薄くできる。また、ルーバー層１０ａの平面方向の遮光壁５および透明壁６のＸ方向の厚さおよびＺ方向の高さを変化させることにより、視野角がさらに変化する。
【００２７】
加飾層７は、第２の保護層４ｃの裏面に配置される。加飾層７は、たとえば、メジウムインクにて形成されている。その加飾層７の加飾部分は、昇華型熱転写等の染料インクにて、着色されて加飾されている。
【００２８】
ベースシート８は、透光性の弾性材料からなるシートである。また、ベースシート８に形成されている押圧子９は、スイッチ部材（不図示）を押し込む働きを有する。ベースシート８には、ライトガイドとするためのパターン８ａが設けられている。パターン８ａは、例えば、マイクロブラスト等で形成される。したがって、ベースシート８の側面部から光を照射すると、光はベースシート８内を直進してパターン８ａ部分に到達する。そして、光は、パターン８ａ部分にて屈折および拡散して、ルーバー層１０ａ方向へ光を照射する。
【００２９】
ルーバー層１０ａが無い場合には、光は、拡散性を有するために、パターン８ａから発した光は、パターン８ａよりも広い領域に広がるように照射される。しかし、ルーバー層１０ａの有する遮光壁５により、光が広がらず、隣接する他の透明壁６の部分への光は遮断される。すなわち、光は、パターン８ａの部分に位置する透明壁６のみを通過する。したがって、ルーバー層１０ａのうち、パターン８ａとＺ方向に重なる透明壁６の部分のみ光が通過する。一方、ルーバー層１０ａのうち、パターン８ａにＸ方向で隣接する部分には光が照射されない。そのため、各モードで必要な操作釦のみ視認できるような操作面となる。この実施の形態では、図４に示す複数の透明壁６は、すべて同一の横方向の厚さ（Ｘ方向の厚さ）を有している。しかし、透明壁６のＸ方向の厚さを部位により変えても良い。また、遮光壁５の形状を図２の平面図で見て菱形状としてもよい。
【００３０】
図５は、遮光壁５が菱形の形状である場合に、遮光壁５および透明壁６をＺ方向から見た拡大平面図である。遮光壁５が菱形の形状である場合には、菱形の鋭角部分近傍（図５では、Ｘ方向外側）においては、表示等が見やすいものとなる。一方、菱形の鈍角部分近傍（図５では、菱形をＸ方向の距離で二分する部分）においては、菱形の鋭角部分近傍と比較して、表示等が見えにくいものとなる。したがって、表示が見やすい部分（図５では、Ｘ方向外側）に、明瞭に見たい表示部分を移動することで、その表示部分をより明瞭に見ることができる。例えば、操作者が画面移動（いわゆるスクロール）が可能な画面を用いて、画面表示の一部をより明瞭に見たい場合に用いることができる。
【００３１】
次に、本実施の形態に係る電子機器１の操作面の製造方法について説明する。図６は、本実施の形態に係る電子機器１の操作面の製造工程を説明するためのフローチャートである。
【００３２】
まず、複数の遮光壁５と複数の透明壁６とが交互に配されているルーバー前駆体を形成する。具体的には、遮光壁５用のシートを複数枚と、透明壁６の構成材料からなる透明壁６用のシートを複数枚用意し、これらを交互に積層する（ステップＳ１０１）。そして、各シートを積層した状態で、加熱および加圧することにより、これら複数のシートが一体化してなるブロック体であるルーバー前駆体を形成する（ステップＳ１０２）。次に、ルーバー前駆体をシート表面に垂直な切断面で所望の大きさに切断する（ステップＳ１０３）このようにして、ルーバー層１０ａを得る。
【００３３】
こうして得られたルーバー層１０ａの表面上に、接着剤等を介して保護層４ａおよび４ｃを貼り合わせた後、接着剤を硬化させて、ルーバー層１０ａ、保護層４ａおよび保護層４ｃを一体化させる（ステップＳ１０４）ことにより、パネル１０を得る。
【００３４】
次に、第２の保護層４ｃの裏側の面に、メジウムインキを用いた印刷により加飾層７を形成し、さらに、加飾層７に加飾部分を形成する（ステップＳ１０５）。例えば、昇華印刷にて染料インクにより加飾層７の加飾部分を着色することで加飾部分を加飾層７内に形成できる。
【００３５】
最後に、予め押圧子９の形状を付与したベースシート８を、加飾層７の裏面側に張り付ける（ステップＳ１０６）。具体的には、ベースシート８の押圧子９が形成されていない側の面を、接着剤等を介して加飾層７に貼付する。
【００３６】
（第２の実施の形態）
次に、本発明に係る電子機器１の第２の実施の形態について、図面を参照しながら説明する。
【００３７】
第２の実施の形態に係る電子機器１Ａは、第１の実施の形態に係る電子機器１とはパネル１０の構成が異なるもので、以下、その相違点について主として説明する。説明においては、第１の実施の形態と同一または同種の部材については、同一の符号をなし、その説明を省略または簡略化する。図７は、図２のＢで示される領域に相当する領域の断面図である。
【００３８】
図２のＢで示される領域は、電子機器１Ａの表示部３が配置されている。表示部３は、出力部分であり、例えば、液晶画面等により構成されている。電子機器１Ａの表示部３を正面から見た場合には、表示部３のパネル１０を通して、表示部３に現れた映像等が視認される。そのため、表示部３に表示される個人情報等が、斜め方向の他人から読み取られることがない。
【００３９】
第２の実施の形態において、遮光壁５および透明壁６は、第１の実施の形態と同様に、第２の保護層４ｃの面に対する角度θで、９０°の角度を為して、Ｘ方向に延伸している。しかし、第１の実施の形態と異なる点は、遮光壁５が、第１の着色層５ａと、第２の着色層５ｃとを有する点である。具体的には、遮光壁５は、第１の着色層５ａと、第１の着色層５ａの色彩とは異なる色彩を有する第２の着色層５ｃとを、遮光壁５のＸ軸に垂直な面（両側面）にそれぞれ有する。例えば、第１の着色層５ａが赤色である場合に、第２の着色部５ｃは青色である。すると、第１の着色層５ａ側から電子機器１Ａを見ると、電子機器１Ａの表示部３が赤色に見える。一方、第２の着色層５ｃ側から見ると、電子機器１Ａの表示部３が青色に見える。そのため、その電子機器１Ａを見る方向により電子機器１Ａの表示部Ｂの色が変化して見えるような意匠を付与することができる。
【００４０】
このようなパネル１０を操作面の全面と表示部３の全面に一体的に有する電子機器１Ａとすることで、表示部３に表示される個人情報等を他人から見えないようにするための、いわゆるプライバシーフィルムを表示部３に貼る必要がない。また、表示部３のみに貼られたプライバシーフィルムにより、電子機器１Ａ全体の意匠が統一できないという問題もない。
【００４１】
次に、第２の実施の形態に係る電子機器１Ａの操作面の製造方法について説明する。
【００４２】
第２の実施の形態に係る電子機器１Ａの操作面の製造方法は、第１の実施の形態にて説明したステップＳ１０１からステップＳ１０４とほぼ同様である。
【００４３】
第２の実施の形態が、第１の実施の形態と異なるのは、ステップＳ１０１にて第１の着色層５ａおよび第２の着色層５ｃを有する遮光壁５を用いる点である。そのような遮光壁５は、まず、遮光壁５としてのシートの片面に第１の着色層５ａを印刷等により形成し、次に、第１の着色層５ａを形成した面とは逆の面に第２の着色層５ｃを印刷等により形成することで作製される。また、ステップＳ１０２においては、遮光壁５用のシートの複数枚と、透明壁６の構成材料からなる透明壁６用のシートの複数枚とを交互に、かつ第１の着色層５ａと第２の着色層５ｃとが透明壁６を介して向かいあうように積層する。
【００４４】
（第３の実施の形態）
次に、本発明に係る電子機器の第３の実施の形態について、図面を参照しながら説明する。
【００４５】
第３の実施の形態に係る電子機器１Ｂは、第１の実施の形態に係る電子機器１とパネル１０の構成が異なるもので、以下、その相違点について主として説明する。説明においては、第１の実施の形態と同一または同種の部材については、同一の符号をなし、その説明を省略または簡略化する。図８は、第３の実施の形態に係る電子機器１Ｂに設けられるパネル１０を構成する第１のルーバー層２０および第２のルーバー層３０の斜視図である。
【００４６】
第３の実施の形態では、第１のルーバー層２０および第２のルーバー層３０が設けられている。具体的には、第１の保護層４ａ、第１のルーバー層２０、第２のルーバー層、および第２の保護層４ｂが、この順で、電子機器１Ｂの操作面の表面より配置されている。また、第１のルーバー層２０は、遮光壁２５および透明壁２６を有し、第２のルーバー層３０は、遮光壁３５および透明壁３６を有する。遮光壁２５、透明壁２６、遮光壁３５および透明壁３６は、それぞれ、第２の保護層４ｃに対して略垂直に立設されている。しかし、第１のルーバー層２０が有する遮光壁２５および透明壁２６は、Ｙ軸方向に延伸している。一方、第２のルーバー層３０が有する遮光壁３５および透明壁３６は、Ｘ軸方向に延伸している。
【００４７】
このような第１のルーバー層２０および第２のルーバー層３０を形成すると、Ｘ軸方向から電子機器１の操作面が見えにくいだけではなく、Ｙ軸方向からも電子機器１の操作面が見えにくい電子機器１とすることができる。
【００４８】
また、遮光壁２５および透明壁２６がＹ軸方向に延伸し、一方、遮光壁３５および透明壁３６がＸ軸方向に延伸している場合には、所望の区画領域をより限定して照光できる。なぜなら、所定の操作用表示２を照光した際に、第１のルーバー層２０が、Ｘ方向に隣接する他の領域への光を遮断すると共に、第２のルーバー層３０が、Ｙ軸方向に隣接した他の領域への光を遮断するためである。したがって、第１のルーバー層２０および第２のルーバー層３０の両者で区画される１つの区画領域のみを照光できる。また、１つの区画領域に対応して１つの操作用表示２を割り当てると、操作している本人には、個々の操作用表示２がよく見えるが、一方、操作面の前後左右にいる第三者からは、より見えにくい操作表示２となる。したがって、第三者には、どの操作釦を操作しているのかが見えないため、操作者のプライバシーが保たれる。
【００４９】
次に、第３の実施の形態に係る電子機器１Ｂの操作面の製造方法について説明する。図９は、第３の実施の形態に係る電子機器１Ｂの操作面の製造方法を説明するためのフローチャートである。
【００５０】
第１の実施の形態に係る電子機器１の製造方法のうち、ステップＳ１０１からステップＳ１０３までの工程は、第３の実施の形態のステップＳ２０１からステップＳ２０３と同様であるため、それらの説明を省略する。
【００５１】
第３の実施の形態では、ステップＳ２０１〜Ｓ２０３の後に、遮光壁３５および透明壁３６がＸ軸方向に延伸するように第２のルーバー層３０を配置する（ステップＳ２０４）。次に、第２のルーバー層３０の表面側に、遮光壁３５および透明壁３６がＹ軸方向に延伸するように第１のルーバー層２０を配置する（ステップＳ２０５）。そして、保護層４ａ、第１のルーバー層３０、第２のルーバー層２０、および保護層４ｃを積層し加熱および加圧することにより、一体化する（ステップＳ２０６）。このようにして得られたパネル１０を、接着剤などを介して操作面に貼り付ける（ステップＳ２０７）。
【００５２】
以上に説明したように、各実施の形態に係る電子機器１、電子機器１Ａおよび電子機器１Ｂ（以後、電子機器１、１Ａ、１Ｂという）は、操作面および表示部３の両方に、一体的にパネル１０を設けることで、電子機器１、１Ａ、１Ｂの意匠を全体で統一したものとすることができる。また、操作面に設けたルーバー層１０ａ、第１のルーバー層２０および第２のルーバー層３０（以後、ルーバー層１０ａ、２０、３０という）により、所望の操作用表示２のみを照光させることができるため、使用者が操作釦を見つけやすい電子機器１等となる。また、その電子機器１等の操作内容あるいは表示内容を知られにくいため、プライバシー保護の面で向上した電子機器１、１Ａ、１Ｂとなる。
【００５３】
以上、本発明に係る電子機器の好適な実施の形態について説明したが、本発明は、上述の各実施の形態に何ら限定されることなく、種々変形した形態にて実施可能である。
【００５４】
例えば、上述の実施の形態では、電子機器１、１Ａ、１Ｂの外側に露出する面は、１面につき１枚のパネル１０により、その面の全領域が覆われるものとしている。しかし、このような形態に限らない。ある面は、パネル１０によりその面の全領域が覆われているが、他の面は、パネル１０により覆われていなくてもよい。あるいは、電子機器１、１Ａ、１Ｂの外側に露出する複数の面のすべてが、１枚のパネル１０により覆われるような形態であってもよい。操作用表示２および表示部３が、１枚のパネル１０で覆われることにより、少なくとも、操作用表示２の部分あるいは表示部３の部分にのみルーバー層１０ａ、２０、３０を設ける場合よりも、電子機器１、１Ａ、１Ｂの操作面の外観が向上する。また、電子機器１、１Ａ、１Ｂの外側に露出する面全面に、パネル１０を配置することにより、電子機器１、１Ａ、１Ｂの機器全体の外観が統一されたものとなる。加えて、ユーザが操作している電子機器の種類等が、他人に知られないものとすることができる。例えば、その機器が、携帯電話であるのか、音響機器であるのか、あるいはゲーム機器であるのか等を知られることがない。
【００５５】
また、上述の実施の形態では、遮光壁５、透明壁６、遮光壁３５および透明壁３６を角度θで９０度としたが、角度θは、４５°〜１３５°の間であれば、何度であっても良い。例えば、角度θを４５°とした場合には、遮光壁５、透明壁６、遮光壁３５若しくは透明壁３６の角度が１３５°となる方向から見る際には操作面が見やすい。一方、該角度が４５°となる方向側から見る際には、操作面が見えにくいものとなる。なお、角度θを６０°以上１２０°以内とすると、電子機器１、１Ａ、１Ｂの操作者にとって操作が見えやすいものとなる。
【００５６】
また、第１の実施の形態および第２の実施の形態では、ルーバー層として、ルーバー層１０aを１層のみ設け、一方、第３の実施の形態では、ルーバー層として、第１のルーバー層２０および第２のルーバー層３０の２層を設ける場合とした。しかし、１層あるいは２層に限られず、ルーバー層を何層設けても良い。なお、ルーバー層を多層設ける場合には、視野角を狭くしやすく、操作者にとってプライバシー保護を簡易な構成で形成する利点がある。
【００５７】
また、第３の実施の形態では、第１のルーバー層２０の有する遮光壁２５および透明壁２６は、操作面に対して垂直に立設かつＹ軸方向に延伸し、一方、第２のルーバー層３の有する遮光壁３５および透明壁３６は、操作面に対して垂直にかつＸ軸方向に延伸しているものとしたが、必ずしも同じ角度で立設かつ異なる方向へ延伸するものでなくてもよい。たとえば、第１のルーバー層２０の有する遮光壁２５および透明壁２６が、角度θで８０°に立設かつＹ軸方向に延伸し、一方、第２のルーバー層３０の有する遮光壁３５および透明壁３６は、角度θで１００°に立設かつＹ軸方向に延伸しているものでもよい。このような構成とすることで、Ｘ方向の他人からより一層操作面が見えにくい電子機器１Ｂとすることができる。また、第１のルーバー層２０と第２のルーバー層３０とがなす角度を９０°ではなく、９０°以外の角度、例えば、１００°にしてもよいし、１２０°等にしてもよい。
【００５８】
また、上述の実施の形態では、操作面と表示部３にルーバー層１０ａ、第１のルーバー層２０および第２のルーバー層３０（以後、ルーバー層１０ａ、２０、３０という）を有するパネル１０を設けている。しかし、このような例に限らず、ルーバー層１０ａ、２０、３０を有するパネル１０は、操作面以外に用いてもよい。また、電子機器１、１Ａ、１Ｂの本体１ａ全てにパネル１０を設置してもよい。また、携帯電話以外のものであって、機器内部に照光手段を有する他の機器に採用しても良い。例えば、標示物としてそのまま用いることもできる。
【００５９】
また、第２の実施の形態では、遮光壁５のＸ方向の両面側に、第１の着色層５ａおよび第２の着色層５ｃ（以後、着色層５ａ、５ｃという）を設けるものとした。しかし、このように着色された層を形成するのではなく、染色された遮光壁５を使用し、各面の色を変化させるものでもよい。また、色彩を有するものではなく、金属膜等を形成するものでも良い。さらに、ルーバー層１０ａのすべての遮光壁５に着色層５ａ、５ｃを形成するのではなく、着色層５ａ、５ｃを設けない遮光壁５ａを一部存在させてもよい。着色層５ａ、５ｃが設けられた遮光壁５と、着色層５ａ、５ｃが設けられていない遮光壁とがあることで、その電子機器は、縞模様の意匠を構成できる。また、遮光壁５のＸ方向の両側面の全面に着色層５ａ、５ｃを有するのではなく、各側面の一部のみに着色層５ａ、５ｃを有するようなものとしてもよい。また、着色層５ａ、５ｃのいずれか一方のみを形成するようにしてもよい。その際は、いずれかの透明壁６を挟んで対向する部分に着色層５ａ、５ｃを形成し、他の透明壁６をはさんで対向する部分には、着色層５ａ、５ｃを形成しないようにしてもよい。あるいは、遮光壁５の全部または一部に着色層５ａ、５ｃのいずれか一方のみを形成するようにしてもよい。
【００６０】
また、上述の実施の形態では、内部光源を点灯すると、ライトガイドとしてのパターン８ａを有するベースシート８により、パターン８ａが形成された部分のみを照光するものとしたが、このような形態に限らない。例えば、有機ＥＬのようなそれ自体が発光する膜を、所望の照光部分に用いてもよいし、ＬＥＤ等の発光体を基板上に設置してもよい。
【００６１】
また、実施の形態では、直径、角度あるいは距離等を具体的に記載しているが、これらの記載の数値あるいは表現に限らず、他の値でも良い。例えば、遮光壁５および透明壁６を第２の保護層４ｃに対して垂直に立設している、という記載の場合には、８０°から１００°の間であればよい。また、遮光壁５および透明壁６は、必ずしも等間隔に配置されていなくてもよい。また、本明細書に記載した各数値は、その数値に限られるものではなく、誤差あるいは公差を含むものとする。たとえば、角度θを４５度としたが、この角度は、４０〜５０°の範囲であればよい。
【００６２】
また、第１の実施の形態では、加飾層７を保護層４ｃの裏面に設けているが、このような形態に限らない。保護層４ｃが加飾されていてもよいし、保護層４ａが加飾されているような形態でもよい。また、加飾層は、２層以上設けてもよいし、加飾層がなくてもよい。また、保護層４ａ、保護層４ｃおよび加飾層７は、透明な部材から構成されていなくても良い。例えば、光透過率が６０％程度の薄い黒色とする、あるいは、薄い金属層を設けることで光半透過機能を付与しても良い。光半透過機能を有する操作面を有する電子機器１、１Ａ、１Ｂとすることで、内部光源が消灯時には、操作面を正面から見た場合にも、電子機器１、１Ａ、１Ｂが有する表示等が見えない。
【００６３】
また、各実施の形態では、加飾層７は昇華印刷にて形成されたが、昇華印刷に限らない。例えば、染料インクを用いてインクジェット印刷、スクリーン印刷、グラビア印刷、オフセット印刷あるいはレーザ印刷等を用いてもよい。また、染料インクではなく、顔料インクを用いて加飾してもよい。しかし、染料インクを用いて加飾すると、加飾部の光透過率が高いためにより好ましい。
【００６４】
また、第２の実施の形態において、遮光壁５は、片面に第１の着色層５ａが形成され、かつ、第１の着色層５ａを形成した面とは逆側の面に第２の着色層５ｃが形成されたものとしているが、このような遮光壁５ａに限らない。例えば、１つの面に複数の着色層を配置したり、面の一部に着色層を配置したりしてもよい。また、第１の着色層５ａおよび第２の着色層５ｃは、印刷以外の手法により形成されてもよい。例えば、遮光壁５自体が、異なる色を有するシート部材からなるものでも良い。また、遮光壁５に着色するのではなく、金属等を被覆してもよい。
【００６５】
また、各実施の形態において、ルーバー前駆体は、遮光壁５用のシートおよび透明壁６用のシートを積層した状態で、加熱および加圧することにより、これら複数のシートが一体化して形成されたが、このような方法以外の方法で形成されても良い。例えば、透明壁用のシート状に、スパッタリング、蒸着あるいは前駆体溶液を塗布する等他の方法で形成しても良い。また、ルーバー層を保護する目的で、透明あるいは透光性のポリカーボネート等でルーバー層を覆うことが好ましい。この場合、ルーバー層全体をポリカーボネート等で覆うのではなく、ルーバー層のいずれか１面のみポリカーボネート等で覆うような形態としてもよい。
【産業上の利用可能性】
【００６６】
本発明は、例えば、電子機器を製造あるいは使用する産業において利用することができる。
【図面の簡単な説明】
【００６７】
【図１】本発明の第１の実施の形態に係る電子機器の斜視図である。
【図２】電話モードにある図１の電子機器の一例を示す斜視図である。
【図３】音響プレーヤモードにある図１の電子機器の一例を示す斜視図である。
【図４】図２のＡで示す領域の断面を拡大して示す拡大断面図である。
【図５】遮光壁５が菱形の形状である場合に、遮光壁５および透明壁６をＺ方向から見た拡大平面図である。
【図６】図１に示す電子機器の操作面の製造工程を説明するフローチャートである。
【図７】本発明の第２の実施の形態に係る電子機器の操作面であって、図２のＢで示す領域の断面を拡大して示す拡大断面図である。
【図８】本発明の第３の実施の形態に係る電子機器の操作面が有するルーバー層の構造を説明するための斜視図である。
【図９】図１に示す電子機器の操作面の製造工程を説明するフローチャートである。
【符号の説明】
【００６８】
１、１Ａ、１Ｂ    電子機器
２    操作用表示
３    表示部
５、２５、３５    遮光壁
６、２６、３６    透明壁
１０    パネル
１０ａ  ルーバー層
【図１】
2009236940.tif 000003
【図２】
2009236940.tif 000004
【図３】
2009236940.tif 000005
【図４】
2009236940.tif 000006
【図５】
2009236940.tif 000007
【図６】
2009236940.tif 000008
【図７】
2009236940.tif 000009
【図８】
2009236940.tif 000010
【図９】
2009236940.tif 000011